(57)【要約】      （修正有）【課題】吸引導子コードの操作性の悪化を抑制することにより施術者への負担を軽減し、且つ、治療中、吸引導子が吸引導子コードの重量により引っ張られ、皮膚表面から脱落することを抑制し、治療を円滑に進められるようにすること。【解決手段】吸引導子コードの長手方向に対して垂直な断面における、中空部５の中心軸を端点とする電気信号線１を通る直線６において、電気信号線１と吸引導子コードの内周４の点との距離を外周３の点との距離より小さくする。【選択図】図１
2019063092.tif 000002
【特許請求の範囲】
【請求項１】
治療電流を出力する本体と、前記本体と接続された吸引導子コードと、前記吸引導子コードを介して前記本体へ接続された導電部と、前記導電部と人体表面を導通させる吸水体と、前記導電部と前記吸水体が内部に配設された吸引導子と、前記吸引導子を人体表面に吸着させる吸引部と、を備え、前記吸引導子コードは電気信号線を埋設した外皮と、中空部を有し、前記吸引導子コードの長手方向に対して垂直な断面における、前記中空部の中心軸を端点とする前記電気信号線を通る直線上において、前記電気信号線と前記吸引導子コード内周の点との距離を外周の同距離より小さくしてなる電気治療器。
【請求項２】
前記電気信号線は、前記吸引導子コード内周に接する位置に埋設されてなる請求項１記載の電気治療器。
【請求項３】
前記電気信号線は、前記吸引導子コードの長手方向に対して垂直な断面における、前記中空部の中心軸を端点とする前記電気信号線を通る直線上において、前記吸引導子コード内周の点と外周の点との距離が最も長くなるよう埋設してなる請求項１または２に記載の電気治療器。
【請求項４】
前記吸引導子コードは、前記電気信号線を埋設した外皮の肉厚部を水平方向へ向け、水平に複数本連結してなる請求項１〜３のいずれか１項に記載の電気治療器。
【請求項５】
複数本連結した前記吸引導子コードの長手方向に対して垂直な断面において、前記電気信号線と、前記中空部の中心軸と、前記吸引導子コードの中心軸が一直線上に配置されてなる請求項４記載の電気治療器。
【発明の詳細な説明】
【技術分野】
【０００１】
本発明は、電気治療器に関するものである。
【背景技術】
【０００２】
電気治療器を使用する電気療法では、電気治療器より出力された治療電流を治療部位近傍の皮膚表面に付与するため、電極と、電極と皮膚表面を導通させる吸水体とを皮膚表面に固定する必要がある。電極と吸水体を固定する手法として、電極と吸水体を内部に含む吸引導子を、吸引圧を利用して吸着させる吸引方式がある。吸引方式に使用される電気治療器と導子を接続する吸引導子コードと呼ばれる従来の接続コードは、特許文献１に開示されているように、取り扱いが容易になるため、複数本の吸引導子コードを連結部により一体化し、一体化した吸引導子コードの端部の連結部を裂いて使用する。また各吸引導子コードは、筒形状であり、内部の中空部を、吸引導子へ吸引圧を伝達する流路として使用している。また、流路内には、治療電流を電極へ付与する電気信号線を配設しているものである。
【０００３】
しかし、治療中、皮膚表面に吸引導子を吸着させるため、吸水体から分離した欠片や皮膚表面に付着していた汗、皮脂等の不要物が吸引導子を介して吸引され、吸引された不要物が、吸引導子コードの流路内を通過する際に、電気信号線に付着し、堆積することにより、流路を塞いでいた。すなわち、吸引不良となり吸引導子を皮膚表面にうまく固定できない問題があった。
【０００４】
上記問題を解決する手段として、特許文献２に開示されているのは、吸引導子コードの流路内に配設していた電気信号線を、吸引導子コード外に併設する構成をしており、電気信号線に不要物が付着することを防いでいるものが知られている。
【先行技術文献】
【特許文献】
【０００５】
【特許文献１】特開２０１６−６３９１３
【特許文献２】特開平成１１−０５７０２９
【発明の概要】
【発明が解決しようとする課題】
【０００６】
しかし、上記構成では、流路内に不要物が詰まることによる吸引不良の発生を低減している点では優れているが、吸引導子コードと電気信号線をひとまとめにする被覆が必要となり、吸引導子コードが太くなる。さらに、吸引導子コードの電気信号線を併設した方向への屈曲性が低下するため、施術者が吸引導子を利用者の皮膚表面へ取り付け、取り外す際に、吸引導子コードをスムーズに操れず、施術者へ負担を与える可能性がある。さらに、吸引導子コードの重量が増すため、治療中に吸引導子が、吸引導子コードの重量により引っ張られ、利用者の皮膚表面から剥がれ、脱落し、治療を円滑に進めることができない恐れがあった。
【課題を解決するための手段】
【０００７】
上記課題を解決するために、本発明に係る電気治療器は、治療電流を出力する本体と、前記本体と接続された吸引導子コードと、前記吸引導子コードを介して前記本体へ接続された導電部と、前記導電部と人体表面を導通させる吸水体と、前記導電部と前記吸水体が内部に配設された吸引導子と、前記吸引導子を人体表面に吸着させる吸引部と、を備え、前記吸引導子コードは電気信号線を埋設した外皮と、中空部を有し、前記吸引導子コードの長手方向に対して垂直な断面における、前記中空部の中心軸を端点とする前記電気信号線を通る直線上において、前記電気信号線と前記吸引導子コード内周の点との距離を外周の同距離より小さくしてなるものである。
【発明の効果】
【０００８】
上記構成により、本発明に係る電気治療器の吸引導子コードによれば、中空部外に電気信号線を有する吸引導子コードの操作性の悪化を抑制し、施術者への負担を軽減することができ、且つ、治療中、皮膚表面からの導子脱落を抑制し、治療を円滑に進めることができる。
【図面の簡単な説明】
【０００９】
【図１】本発明の実施例１に係る吸引導子コードの長手方向に対して垂直な断面図
【図２】本発明の実施の形態に係る電気治療器の外観図
【図３】本発明の実施の形態に係る電気治療器の構成ブロック図
【図４】本発明の実施の形態に係る導子の各部品の外観図
【図５】本発明の実施例５に係る吸引導子コードの長手方向に対して垂直な断面図
【図６】本発明の実施例２に係る吸引導子コードの長手方向に対して垂直な断面図
【図７】本発明の実施例３に係る吸引導子コードの長手方向に対して垂直な断面図
【図８】本発明の実施例４に係る吸引導子コードの長手方向に対して垂直な断面図
【発明を実施するための形態】
【００１０】
以下、本発明の実施形態について図１〜図４を用いて説明する。本実施形態では、低周波電流を供給する出力部１５と吸引圧を供給する吸引ポンプ１６を有する本体１２と、本体１２と本体接続部１３により電気的に、かつ空気流路として接続された吸引導子コード１１と、本体接続部１３の他端側の電極接続部１４により接続された電極板１８と、電極板１８と、電極板１８と人体表面を導通させる吸水体１７を内部に配設された吸引導子１０からなるものである。また吸引導子コード１１は、出力部１５より出力された低周波電流を電極板１８へ伝達する電気信号線１を埋設した外皮２と、吸引ポンプ１６より供給された吸引圧を吸引導子１０へ伝達する中空部５で構成されている。また、電気信号線１は、吸引導子コード１１の長手方向に対して垂直な断面における、中空部５の中心軸を端点とする電気信号線１を通る直線上６において、電気信号線１と吸引導子コード１１の内周４の点との距離を外周３の点との距離より小さくなるよう埋設されている。
【００１１】
上記構成により、吸引導子１０を吸引ポンプ１６より供給された吸引圧により治療部位へ固定し、出力部１５より供給された低周波電流を付与することができる。ここで、電極板１８は、水分を含んだ吸水体１７と長時間接触するため、水と接触しても物性が変化し難い材料、例えばステンレス材等を用いており、吸水体１７は、水等の導電性の液体を多く含むよう吸水、保水性の高い材質で構成する。本実施形態では、パルプを使用したセルロース素材、ビスコース素材、または、コットンなど安価な素材を使用した材料を使用している。また、吸引導子コード１１は、電気信号線１を外皮２に埋設しているため、従来技術のように、吸引導子コード１１と電気信号線１を覆う被服を別途設ける必要がなく、吸引導子コード１１の太さを最小限に抑えることができる。また、電気信号線１は、吸引導子コード１１の外周３より内周４に近接した位置に埋設しているため、電気信号線１を埋設した方向へ屈曲させる際に、電気信号線１が抵抗とならず、屈曲性の悪化を最小減に抑えることができる。すなわち、吸引導子１０を利用者の皮膚表面へ取り付け、取り外す際に、吸引導子コード１１の操作性が良く、治療準備、片付けを円滑に行うことができ、施術者への負担を軽減することができる。また、重量も最小限に抑えることができるため、利用者の皮膚表面へ吸引導子１０を吸着させ治療する際に、吸引導子１０が吸引導子コード１１の重量により引っ張られ、利用者の体表面から脱落する事を抑制し、治療を円滑に進めることができる。また、施術を中断し、再度、吸引導子１０を利用者の体表面へ取り付ける等の無用な施術者への負担も軽減することができる。
【００１２】
次に、本発明の実施形態に係る吸引導子コード１１を複数本連結した連結コードの構成について、図５を参照して説明する。連結コードは、電気信号線１を埋設した外皮２の肉厚部を水平方向へ向けた吸引導子コード１１を連結部８により複数本連結し、一体化したものである。上記構成により、連結コードの水平方向へ延びる中心線９付近に電気信号線１を配設しているため、垂直方向への屈曲性の悪化を低減し、操作性の悪化を抑制することができる。また、本実施形態の連結コードは、各吸引導子コード１１の外周３より内周４に近接した位置に電気信号線１を埋設しているため、端部を裂いて使用する際に、電気信号線１が外皮２から突出する危険性も軽減している。
【００１３】
（実施例１）
以下、本発明に係る吸引導子コードの第１の実施例について図１を用いて説明する。本実施例の吸引導子コードは、略円筒状で、電気信号線１が埋設された外皮２と中空部５で構成されている。また、吸引導子コードの中心軸と中空部５の中心軸は共通となっている。電気信号線１は、吸引導子コードの長手方向に対して垂直な断面における、電気信号線１を通る吸引導子コード外周３の半径上において、吸引導子コード外周３の点より内周４の点に近い位置に埋設されている。本実施例では、電気信号線１を、電気信号線１と吸引導子コード外周３の点との距離を内周４の同距離の２倍以上となるよう埋設している。また、操作性と安全性を考慮し、吸引導子コードの外皮２の材料を、可撓性と絶縁性を有する材料、例えば、ポリ塩化ビニル等により形成されたものを使用している。また、電気信号線１には、剛性、可撓性に優れているステンレスワイヤーの撚り線（φ０．２７〜φ０．６３）を使用している。
【００１４】
（実施例２）
以下、本発明に係る吸引導子コードの第２の実施例について図６を用いて説明する。基本的な構成は、実施例１と同様であるが、本実施例では電気信号線１を吸引導子コード内周４に接する位置に埋設されている。上記構成により、実施例１と比較すると、電気信号線１は、吸引導子コード外周３から距離をとる位置に埋設することができ、吸引導子コードの中心軸へ近い位置に電気信号線１を埋設しているため、電気信号線１を埋設した方向への屈曲性の悪化が軽減されている。また、外皮２と電気信号線１の弾性力の差により、電気信号線１が外皮２を破り、外皮２から突出する危険性を軽減している。
【００１５】
（実施例３）
以下、本発明に係る吸引導子コードの第３の実施例について図７を用いて説明する。基本的な構成は実施例１と同様であるが、吸引導子コードの中心軸と中空部５の中心軸を共通とせず、外皮２に偏肉部をつくり、電気信号線１は、偏肉部の最も厚い肉厚に埋設している。上記構成により、電気信号線１は、実施例１、実施例２より吸引導子コード外周３から距離をとる位置に埋設することができる。さらに、吸引導子コード外周３から距離をとりつつ、内周４からも一定の距離をとることができるため、実施例２より、電気信号線１が中空部５へ突出する危険性も軽減している。
【００１６】
（実施例４）
以下、本発明に係る吸引導子コードの第４の実施例について図８を用いて説明する。基本的な構成は実施例３と同様であるが、吸引導子コード外周３は、略楕円形とし、吸引導子コード外周３の長軸７上に、電気信号線１と中空部５の中心軸を配置している。
【００１７】
（実施例５）
以下、本発明に係る吸引導子コードの第５の実施例について図５を用いて説明する。本実施例は、本発明に係る吸引導子コードが水平方向へ連結部８により複数本連結された一体成型の連結コードであり、各吸引導子コードの中心軸と、各中空部の中心軸と、各電気信号線１が同一直線９上に配置されている。上記構成により、垂直方向への屈曲性の悪化を軽減することができる。また、連結コードの先端部を裂いて使用する際に、電気信号線１が外皮２から突出することを軽減している。また、連結コードを取扱う際に、連結コードの外皮２が擦れ、電気信号線１が突出しないようにするために、電気信号線１を埋設した外皮２を連結方向へ向け、連結することが好ましい。
【符号の説明】
【００１８】
１  電気信号線
５  中空部
１０  吸引導子
１１  吸引導子コード
１２  本体
１５  出力部
１６  吸引部
１７  吸水体
１８  電極板
【図１】
2019063092.tif 000003
【図２】
2019063092.tif 000004
【図３】
2019063092.tif 000005
【図４】
2019063092.tif 000006
【図５】
2019063092.tif 000007
【図６】
2019063092.tif 000008
【図７】
2019063092.tif 000009
【図８】
2019063092.tif 000010